(57)【要約】【課題】            包装形態が小さくでき、製造コストも低減する給排気用の化粧パネルを得る。【解決手段】        背面の対向する二ヶ所に、トーションリング部９の両端から開脚状に係止脚１０が延び出したトーションバネ８を有し、トーションバネ８の係止脚１０によって弾性的に吊り支持される樹脂製の給排気用の化粧パネルについて、トーションバネ８のトーションリング部９を軸方向において両側から挟むように保持する内外二つの保持片１７，１５を備えた保持構造１２を背面に一体成形し、保持構造１２の内外の保持片１７，１５間に横挿した支持ピン１３をトーションリング部９に挿通させてトーションバネ８を係止脚１０が背面側に突出する状態に保持構造１２に保持させるとともに、二つの保持片１７，１５の内側のものをトーションリング部９が通る大きさに構成し、トーションバネ８を内側に倒伏できるようにする。【選択図】          図２
2005274003.tif 000002
【特許請求の範囲】
【請求項１】
背面の対向する二ヶ所に、トーションリング部の両端から開脚状に係止脚が延び出したトーションバネを有し、このトーションバネの係止脚によって弾性的に吊り支持される樹脂製の給排気用の化粧パネルであって、前記トーションバネのトーションリング部を軸方向において両側から挟むように保持する内外二つの保持片を備えた保持構造を背面に一体成形し、この保持構造の内外の保持片間に横挿した支持ピンを前記トーションリング部に挿通させて前記トーションバネをその係止脚が背面側に突出する状態に保持構造に保持させるとともに、前記二つの保持片の内側のものを前記トーションリング部が通る大きさに構成し、前記トーションバネを内側に倒伏できるようにした給排気用の化粧パネル。
【請求項２】
請求項１に記載の給排気用の化粧パネルであって、保持構造を四角筒形に構成し、係止脚側の二面と内側の一面の中央に保持片を設けた給排気用の化粧パネル。
【請求項３】
請求項１又は請求項２のいずれかに記載の給排気用の化粧パネルであって、二つの保持片の間にトーションバネのトーションリング部を支持軸の挿通部分に合わせて受支えるリブを設けた給排気用の化粧パネル。
【請求項４】
請求項１〜請求項３までのいずれかに記載の給排気用の化粧パネルであって、倒伏状態のトーションバネを背面から浮いた状態に保持する受け部を設けた給排気用の化粧パネル。
【請求項５】
請求項１〜請求項４までのいずれかに記載の給排気用の化粧パネルであって、周囲に背面側に突出す立上りを有し、この立上りより高い位置に支持軸を横挿した給排気用の化粧パネル。
【請求項６】
請求項１〜請求項５までのいずれかに記載の給排気用の化粧パネルであって、周囲を除き十文字の格子のグリルで構成し、このグリルの格子上に保持構造を形成した給排気用の化粧パネル。
【請求項７】
請求項１〜請求項６までのいずれかに記載の給排気用の化粧パネルであって、支持ピンを樹脂で構成し、その支持ピンには内側の保持片に掛け止まり挿抜可能な抜止め構造を設けた給排気用の化粧パネル。
【請求項８】
請求項１〜請求項７までのいずれかに記載の給排気用の化粧パネルを室内側に備えた換気扇。
【発明の詳細な説明】
【技術分野】
【０００１】
本発明は、給排気用の化粧パネル及び化粧パネルを備えた換気扇に関するものである。
【背景技術】
【０００２】
建築基準法の改正に伴い、換気扇の設置台数が増加する中で施工性の改善や、包装の小型化、低コスト化が求められている。換気扇の中には、建物の天井に取付けられ、ダクトを通じて排気や給気を行うものがある。この種の換気扇には、室内側に実質的な給・排気部分を構成する給排気用の化粧パネルが備えられている。化粧パネルは、トーションリング部の両端から開脚状に係止脚が延び出したトーションバネで換気扇の本体に吊り支持されている。なお、この種の従来技術としては特許文献１や特許文献２に示されたものがある。
【０００３】
【特許文献１】実公平６−５５４６号公報
【特許文献２】特開２０００−２５７９４８号公報
【発明の開示】
【発明が解決しようとする課題】
【０００４】
トーションバネで換気扇の本体に吊り支持される従来の給排気用の化粧パネルは、トーションバネが背面に取付け状態に近い形で突出しているものや、外側に倒伏した状態になっていて、取付け時に起立させて取付けるものがある。トーションバネが背面に突出しているものは、そのまま換気扇の本体に取付けることができ、施工性は良好であるが、背面に突出したトーションバネがある分、包装形態が大きくなり、換気扇の本体と同梱するため結果的に全体としては嵩張る包装形態となる。トーションバネが外側に倒伏できるものは、トーションバネを起立させる操作が必要なため施工性はやや落ちるが、包装形態は小さくなる。しかし、倒伏させたトーションバネも化粧パネルの外縁からはみ出すため、それでもその分包装形態は大きくなる。また、トーションバネを保持する保持部材が金属製で化粧パネルにネジ付けしているため、組立の自動化が難しく製造コストが高く就くといった問題点もある。
【０００５】
本発明は、上記した課題を解決するためになされたものであり、その目的とするところは、包装形態が小さくでき、製造コストも低減する給排気用の化粧パネルを得ることであり、施工性が良く、通気性能の良い化粧パネルを得ることである。また、その化粧パネルを備えた換気扇を得ることも目的としている。
【課題を解決するための手段】
【０００６】
上記課題を解決するために本発明は、背面の対向する二ヶ所に、トーションリング部の両端から開脚状に係止脚が延び出したトーションバネを有し、トーションバネの係止脚によって弾性的に吊り支持される樹脂製の給排気用の化粧パネルについて、そのトーションバネのトーションリング部を軸方向において両側から挟むように保持する内外二つの保持片を備えた保持構造を背面に一体成形し、保持構造の内外の保持片間に横挿した支持ピンをトーションリング部に挿通させてトーションバネをその係止脚が背面側に突出する状態に保持構造に保持させるとともに、二つの保持片の内側のものをトーションリング部が通る大きさに構成し、トーションバネを内側に倒伏できるようにする手段を採用する。
【発明の効果】
【０００７】
本発明によれば、背面に係止脚が突出すトーションバネを、保持構造の内側の保持片を、トーションリング部を潜らせて内側へ倒伏できることによって、化粧パネルの厚さに近い厚さと投影平面積に近い平面をもった小さな包装形態にすることができ、ネジ部品を用いないので組立の自動化も可能で製造コストが低減する。
【発明を実施するための最良の形態】
【０００８】
本発明の給排気用の化粧パネルは、樹脂製でトーションバネによって換気扇の本体に吊り支持されるものである。化粧パネルの背面の対向する二ヶ所に、トーションリング部の両端から開脚状に係止脚が延び出したトーションバネが備えられている。このトーションバネの係止脚によって換気扇の本体に弾性的に吊り支持される。トーションバネのトーションリング部は、軸方向において両側から挟むように保持する内外二つの保持片を備えた保持構造によって保持されている。保持構造は、化粧パネルの背面に一体成形されている。保持構造の内外の保持片間に横挿された樹脂製の支持軸がトーションリング部に挿通されて、トーションバネが、その係止脚が背面側に突出する状態に保持構造に保持されている。二つの保持片の内側のものは、トーションリング部が通る大きさに構成され、トーションバネを内側に倒伏させることができるようになっている。
【０００９】
化粧パネルは、トーションバネを、保持構造の内側の保持片からトーションリング部を潜らせて内側へ倒伏させた状態で包装される。この包装形態は、化粧パネルの厚さに近い厚さと投影平面積に近い平面をもった小さなもので、換気扇の本体に同梱される。開梱して、換気扇の本体を天井に取付け、化粧パネルのトーションバネを起立させ、外側の保持片に支えさせると、係止脚が背面に突出した状態になる。この状態で換気扇の本体の係止部の長孔に嵌め込み押し込めば取付けることができる。
【００１０】
実施の形態１．
図１は本実施の形態の換気扇の分解斜視図、図２と図４は化粧パネルの拡大背面図、図３と図５は化粧パネルの拡大側面図、図６と図７は化粧パネルの要部を示す部分斜視図、図８は支持軸を示す斜視図である。この換気扇は、本体１の大半が天井裏空間に臨むように建物の天井構造に取付けられ、吸込んだ室内の空気をダクトを介して室外へ排気するものであり、建物の天井構造に沿う室内側が吸込口２として開口した箱型の本体１と、この本体１の吸込口２側に天井面に沿って装着される化粧パネル３と、本体１の一側に係脱可能に装着されるダクト接続枠４とから構成されている。本体１内には吸込口２からダクト接続枠４に向かう排気流を形成する送風機５が組込まれ、吸込口２の口縁には外向きに張出す取付フランジが形成されている。本体１の一側には吹出口を備えた接続部６が構成され、上下方向の操作によってダクト接続枠４を係脱させ得るようになっている。
【００１１】
化粧パネル３は、図２や図４に示すように樹脂製で、周囲を除き十文字の格子７のグリルで構成され、背面の対向位置に設けられた二つのトーションバネ８によって換気扇の本体１に吊り支持される。トーションバネ８は、トーションリング部９の両端から開脚状に二本の係止脚１０が延び出した構成である。化粧パネル３は、このトーションバネ８の二本の係止脚１０によって換気扇の本体１に設けられた係止部１１に弾性的に吊り支持される。トーションバネ８は化粧パネル３の背面の格子７上に一体成形された四角筒状の保持構造１２に支持ピン１３によって取付けられている。保持構造１２は、内外の長めの二辺と両側の短い二辺１４とからなり、長い外側の一辺はトーションバネ８を起立状態に保持する保持片１５として化粧パネル３の周囲に背面に突出する立上り１６より高く形成されている（図２参照）。内側の一辺はその中央が凸状に突出し、トーションバネ８のトーションリング部９が通る幅と高さを持つ保持片１７が形成されている。この保持片１７の肩１８と両側の二辺１４は、立ちが低く格子７よりも高く形成され係止脚１０を受支える機能を果たす。
【００１２】
内外の保持片１７，１５の立上り１６より高い位置には支持ピン１３を横通しする半円形の挿通孔１９が設けられている。そして、挿通孔１９に対応する位置にトーションリング部９を受支えるリブ２０が図５に示すように内外二辺間の格子７上に形成されている。トーションバネ８のトーションリング部９は、軸方向において両側から挟むように二つの保持片１５，１７により保持される。そして、樹脂製の支持ピン１３が外側の保持片１５の挿通孔１９から差込まれ、トーションリング部９を通して内側の保持片１７の挿通孔に差込まれて、トーションバネ８が組立られている。支持ピン１３には、図８に示すようにその軸端に内側の保持片１７に掛け止まり挿抜可能な抜止め構造２１が備えられている。このように組立られたトーションバネ８は、内側の保持片１７にトーションリング部９を挿通させることで化粧パネル３の内側背面に図６のように倒伏させることができる。倒伏状態のトーションバネ８の二本の係止脚１０は、肩１８に受支えられ、格子７から浮き上がっている。
【００１３】
この化粧パネル３は、トーションバネ８を、保持構造１２の内側の保持片１７からトーションリング部９を潜らせて内側へ倒伏させた状態で包装される。この包装形態は、化粧パネル３の厚さに近い厚さと投影平面積に近い平面をもった小さなもので、換気扇の本体１に同梱される。開梱して、換気扇の本体１を天井に取付け、化粧パネル３のトーションバネ８を起立させ、外側の保持片１５に支えさせると、係止脚１０が背面に突出した状態になる（図７参照）。この状態で換気扇の本体１の係止部１１の長孔に嵌め込み押し込めば取付けることができる。トーションバネ８を起立させるとき、係止脚１０が格子７から浮いているので操作し易い。組立においては、リブ２０によりトーションリング部９が挿通孔１９に対応する高さに支えられるので支持ピン１３による組付けが容易であり、立上り１６より高い位置にあるので支持ピン１３の挿通操作は容易である。支持ピン１３は樹脂製であるため、組立が容易で、清掃などの際に指先等が引っ掛かったりすることもない。また、保持構造１２及びリブ２０が格子７上に成形されているため、格子７の通気性能を阻害せず、表側からは格子７しか見えないので意匠性も向上する。
【図面の簡単な説明】
【００１４】
【図１】換気扇の分解斜視図である。（実施の形態１）
【図２】化粧パネルの拡大背面図である。（実施の形態１）
【図３】化粧パネルの拡大側面図である。（実施の形態１）
【図４】化粧パネルの拡大背面図である。（実施の形態１）
【図５】化粧パネルの拡大側面図である。（実施の形態１）
【図６】化粧パネルの要部を示す部分斜視図である。（実施の形態１）
【図７】化粧パネルの要部を示す部分斜視図である。（実施の形態１）
【図８】支持軸の斜視図である。（実施の形態１）
【符号の説明】
【００１５】
１  本体、  ３  化粧パネル、  ５  送風機、  ７  格子、  ８  トーションバネ、  ９  トーションリング部、  １０  係止脚、  １２  保持構造、  １３  支持ピン、  １５  保持片、  １６  立上り、  １７  保持片、  １８  肩、  ２０  リブ、  ２１  抜止め構造。
【図１】
2005274003.tif 000003
【図２】
2005274003.tif 000004
【図３】
2005274003.tif 000005
【図４】
2005274003.tif 000006
【図５】
2005274003.tif 000007
【図６】
2005274003.tif 000008
【図７】
2005274003.tif 000009
【図８】
2005274003.tif 000010